(57)【特許請求の範囲】
【請求項１】
光透過性を有するパネルの装着されたパネル枠がヒンジにより額縁状の前枠の前側に横前側に片開き可能に取付けられ、遊技盤が遊技盤における前側面の意匠盤面に内外誘導レールで囲まれた内側の遊技領域に複数の入賞口装置を有し、遊技盤が前枠に装着され、パネル枠が前枠に対し閉じると、パネル枠のパネルが遊技盤の内外誘導レールおよび遊技領域および複数の入賞口装置を覆うパチンコ機において、複数の入賞口装置が入賞壁と球取込口とを備え、入賞壁が遊技盤よりも前側に突出して前方および上方に開放された溝状の形態であり、球取込口が入賞壁で囲まれて遊技盤を前後方向に貫通した形態であり、パネル枠のパネルには複数の前面側装飾部が設けられ、パネル枠が閉じられた場合、複数の前面側装飾部が入賞口装置の前側を覆うことにより複数の入賞口装置における前面側の被覆装飾を個別に表現することを特徴とするパチンコ機。
【請求項２】
複数の前面側装飾部が複数の入賞口装置ごとの別々に形成されることなく連続するように一体に形成された貼付シールにより形成されたことを特徴とする請求項１記載のパチンコ機。
【発明の詳細な説明】
【０００１】
【発明の属する技術分野】
本発明は、パチンコ機であって、特に、遊技盤の前側に設けられる装飾に関する。
【０００２】
【従来の技術】
特開平１０−１２７８６４号公報で開示されたパチンコ機では、遊技盤の前側に配置される２枚のガラス板の間に装飾体を挿入している。
【０００３】
【発明が解決しようとする課題】
しかし、前記従来例は装飾体をガラス板間に挿入する手間がかかることは否めない。
【０００４】
そこで、本発明は、装飾体をパネルの間に挿入する手間を省くことができ、遊技盤に設けられる遊技部品から装飾部を除去できるパチンコ機を提供するものである。
【０００５】
【課題を解決するための手段】
本発明にあっては、光透過性を有するパネルの装着されたパネル枠がヒンジにより額縁状の前枠の前側に横前側に片開き可能に取付けられ、遊技盤が遊技盤における前側面の意匠盤面に内外誘導レールで囲まれた内側の遊技領域に複数の入賞口装置を有し、遊技盤が前枠に装着され、パネル枠が前枠に対し閉じると、パネル枠のパネルが遊技盤の内外誘導レールおよび遊技領域および複数の入賞口装置を覆うパチンコ機において、複数の入賞口装置が入賞壁と球取込口とを備え、入賞壁が遊技盤よりも前側に突出して前方および上方に開放された溝状の形態であり、球取込口が入賞壁で囲まれて遊技盤を前後方向に貫通した形態であり、パネル枠のパネルには複数の前面側装飾部が設けられ、パネル枠が閉じられた場合、複数の前面側装飾部が入賞口装置の前側を覆うことにより複数の入賞口装置における前面側の被覆装飾を個別に表現することを特徴としている。よって、本発明によれば、遊技盤が前枠に装着され、パネル枠が閉じられると、複数の前面側装飾部が入賞口装置の前側を覆うことにより複数の入賞口装置における前面側の被覆装飾を個別に表現するので、複数の入賞口装置の前面側の意匠を形成する装飾体をパネルの間に挿入する手間を省くことができ、遊技盤に設けられる複数の入賞口装置から前面側の意匠を形成する装飾部を除去することができ、遊技盤に設けられる複数の入賞口装置を遊技盤よりも前側に突出して前方および上方に開放された溝状の入賞壁と当該入賞壁で囲まれて遊技盤の前後方向に貫通した球取込口とからなる簡素化された構造とすることができる。又、本発明にあっては、複数の前面側装飾部が複数の入賞口装置ごとの別々に形成されることなく連続するように一体に形成された貼付シールにより形成されれば、遊技盤を別の種類に交換する機種替えにおいて、貼付シールを新しい機種に適合する新しい複数の入賞口装置ごとの別々に形成されることなく連続するように一体に形成された貼付シールに交換すればよく、複数の前面側装飾部をパネルに容易に設けることができる。
【０００６】
【発明の実施の形態】
図１及び図２は本発明の実施形態であって、図１は遊技盤１とパネル枠３０との外観を示し、図２はパチンコ機の外観を示す。
【０００７】
図１を参照し、遊技盤１とパネル枠３０とについて説明する。遊技盤１は方形状の遊技基板２の前側面に意匠盤面を形成する化粧シート３を接着した形態である。化粧シート３は遊技基板２よりも厚さが極端に薄い光透過性を有する合成樹脂よりなるシート基体に意匠図を印刷した板状である。遊技盤１は化粧シート３の前側面に有色な合成樹脂よりなる飾り枠４を図外の止ねじで固定的に備える。飾り枠４は内誘導レール５、外誘導レール６、左右表示灯窓７；８、賞球表示灯窓９、完了表示灯窓１０、遊技説明貼付部１１、証紙貼付部１２等の遊技部品を備える。内外誘導レール５；６で囲まれた内側が遊技領域であり、内外誘導レール５；６の周囲外側が非遊技領域である。
【０００８】
内外誘導レール５；６は遊技領域の径方向に段差状に形成されたストッパ１３を介して互いに連なる渦巻きを形成し、渦巻きの外側の巻端側を形成する外誘導レール６と渦巻きの内側の巻端側を形成する内誘導レール５とは渦巻きの径方向に所定間隔で相対峙した誘導通路１４を形成し、誘導通路１４は球発射装置６１により発射された球を下部から取込んで上部より遊技領域内に放出する。
【０００９】
遊技基板２の遊技領域には、前後に貫通する表示ユニット窓２０が形成され、天入賞口装置２１、左右普通入賞口装置２２；２３、始動入賞口装置２４、アタッカー装置や大入賞口装置と呼ばれる変動入賞口装置２５、アウト口２６、図外の遊技釘等の機能部品が取付けられる。遊技基板２の裏側には液晶のようなフラットタイプの図柄表示装置２７が表示ユニット窓２０と対応して取付けられる。天入賞口装置２１、左右普通入賞口装置２２；２３、始動入賞口装置２４は前後に貫通する球取入口２１ａ；２２ａ；２３ａ；２４ａ周りを囲む溝状の入賞壁２１ｂ；２２ｂ；２３ｂ；２４ｂを個別に備える。変動入賞口装置２５は中央の開閉体２５ａを備えた大入賞口部２５ｂと左右の普通入賞口部２５ｃ；２５ｄとを備え、開閉体２５ａが開くことにより遊技基板２の前面側より前方に突出して大入賞口部２５ｂに球を取入れることが可能となる。普通入賞口部２５ｃ；２５ｄは前後に貫通する球取入口２５ｅ；２５ｆ周りを囲む溝状の入賞壁２５ｇ；２５ｈを個別に備える。
【００１０】
賞球表示灯窓９及び完了表示灯窓１０は非遊技領域の上部左右に個別に配置された左右対称な形状で非遊技領域に前後に貫通した孔である。左右表示灯窓７；８や賞球表示灯窓９及び完了表示灯窓１０には遊技基板２の裏側面又は前枠５３（図２参照）側に設けられた図外の表示灯基板に実装された図外の表示灯が個別に格納される。遊技説明貼付部１１及び証紙貼付部１２は非遊技領域の下部左右に個別に配置された非遊技領域より裏側への窪みである。遊技説明貼付部１１には遊技説明の記載された図外のシールが貼付され、証紙貼付部１２には公的機関で許可を受けた遊技盤１であることを証明することの記載された図外のシールが貼付される。
【００１１】
遊技盤１の前側に所定間隔を以って離隔配置される額縁状のパネル枠３０は内側パネル３１及び外側パネル３２を上方より上方より交換可能に装着した二重ガラス構造である。内側パネル３１及び外側パネル３２は無色のような光透過性を有する合成樹脂又はガラスにより形成される。本実施形態の場合、内側パネル３１は内側パネル３の球と触れない側面つまり外側パネル３２の側に位置する外側面に複数の前面側装飾部３３；３４；３５；３６；３７；３８；３９；４０；４１；４１；４２を備える。前面側装飾部３３〜４２は内側パネル３に印刷又は貼付シールにより形成される。
【００１２】
前面側装飾部３３は内外誘導レール５；６、左右表示灯窓７；８、ストッパ１３を覆うことにより、それらの機能部品における前面側の被覆装飾を個別に表現するものである。前面側装飾部３４は表示ユニット窓２０周り、天入賞口装置２１、始動入賞口装置２４、左右普通入賞口装置２２；２３、普通入賞口部２５ｃ；２５ｄ及びアウト口２６周りを覆うことにより、それらの機能部品における前面側の被覆装飾を個別に表現するものである。前面側装飾部３５は遊技盤１の盤面上を転がる球を外側パネル３２の外側より見せるために前面側装飾部３３；３４とで囲まれた透視領域である。前面側装飾部３６は表示ユニット窓２０と対応し図柄表示装置２７の表示画面を外側パネル３２の外側より見せるために前面側装飾部３４の中に形成された透視領域である。
【００１３】
前面側装飾部３７は表示ユニット窓２０とアウト口２６との間に対応し開閉体２５ａの開閉動作及び遊技盤１の盤面上を転がる球を外側パネル３２の外側より見せるために前面側装飾部３４の中に形成された透視領域である。前面側装飾部３８はアウト口２６に入る球を外側パネル３２の外側より見せるために前面側装飾部３４の中に形成された透視領域である。前面側装飾部３９は賞球表示灯窓９に対応し賞球表示灯からの光よる表示に色や文字等で変化を付与するために前面側装飾部３３の中に形成された意匠表示領域である。前面側装飾部４０は完了表示灯窓１０に対応し賞球表示灯からの光よる表示に色や文字等で変化を付与するために前面側装飾部３３の中に形成された意匠表示領域である。
【００１４】
前面側装飾部４１は遊技説明貼付部１１と対応し遊技説明貼付部１１に貼付されたシールに記載された遊技説明を外側パネル３２の外側より見せるために前面側装飾部３４の中に形成された透視領域である。前面側装飾部４２は証紙貼付部１２と対応し証紙貼付部１２に貼付された公的機関の証明シールを外側パネル３２の外側より見せるために前面側装飾部３４の中に形成された透視領域である。
【００１５】
具体的には、内誘導レール５、外誘導レール６、左右表示灯窓７；８、賞球表示灯窓９、完了表示灯窓１０、遊技説明貼付部１１、証紙貼付部１２等の非遊技領域に設けられる機能部品に対応する前面側装飾部３３；３９〜４２は内側パネル３に印刷される。表示ユニット窓２０、天入賞口装置２１、左右普通入賞口装置２２；２３、始動入賞口装置２４、変動入賞口装置２５、アウト口２６等の遊技領域に設けられる機能部品に対応する前面側装飾部３４〜３７は内側パネル３に貼付シールにより形成される。貼付シールは前面側装飾部３４〜３７を形作る合成樹脂シールを粘着剤又は接着剤で内側パネル３に貼り付ける形態のシールである。
【００１６】
図２を参照し、遊技機枠体５１はパチンコ店の島に固定される額縁状の外枠５２に額縁状の前枠５３が枠ヒンジ５４により横前側に片開き可能に取付けられる。前枠５３の前側には枠支持体５５が前枠５３の中央開口を囲む周縁部に固定される。枠支持体５５にはパネル枠３０と上皿装置５６とが飾りヒンジ５７により横前側に片開き可能に取付けられる。前枠５３とパネル枠３０と上皿装置５６との開閉中心は同一側である。前枠５３の前側には下皿装置５８が上皿装置５６よりも下位に固定される。下皿装置５８の右側には球発射装置６１を駆動するハンドルグリップ５９が配置される。
【００１７】
前枠５３はフロントプレート６０を上皿装置５６と対応する部分に固定的に備える。フロントプレート６０は閉じられた上皿装置５６で覆われる球発射装置６１やスピーカ６２及び掛止機構６３等の機能部品を備える。掛止機構６３は遊技盤１を掛け止めるものである。パネル枠３０と上皿装置５６とを開いた状態において、遊技盤１を前枠５３に前側より挿入されてフロントプレート６０に搭載した後、掛止機構６３を遊技盤１に設けられた図外のフックに係合させることにより、遊技盤１が前枠５３に固定的に装着される。そして、上皿装置５６を閉じて支持枠にロックすると、上皿装置５６より裏側に突出した球受樋６４がフロントプレート６０に形成された逃孔６５に挿入される。
【００１８】
又、パネル枠３０を閉じて枠支持枠５５にロックすると、内側パネル３１が遊技盤１の前側を覆う。このように、内側パネル３１が遊技盤１の前側を覆うことにより、遊技者がパネル枠３０を前側から見ると、前面側装飾部３３〜４２が遊技盤に設けられた内誘導レール５、外誘導レール６、左右表示灯窓７；８、賞球表示灯窓９、完了表示灯窓１０、遊技説明貼付部１１、証紙貼付部１２、天入賞口装置２１、左右普通入賞口装置２２；２３、始動入賞口装置２４、変動入賞口装置２５、アウト口２６等の機能部品における前面側の意匠を形成した形態として視認し得る。又、遊技者は内側パネル３１の透視領域を通して大入賞口装置２５の開閉体２５ａや図柄表示装置２７の表示画像を視認し得る。
【００１９】
本実施形態では内側パネル３１に遊技部の各部品の前面側装飾部３４を個々に設けることなく連続するように一体に形成したので、化粧シート３の意匠面を簡素化又は無地にしても良い。又、前面側装飾部３４は遊技球の通過する箇所を透視性の有る着色（スケルトンタイプ）に形成すれば、入賞口への球の入賞や遊技釘間での遊技球の流れ方が視認できるので、遊技者が安心して遊技をすることができる。
【図面の簡単な説明】
【図１】本発明の実施形態のパネル枠と遊技盤とを示す分解斜視図。
【図２】同実施形態のパチンコ機を示す斜視図。
【符号の説明】
１  遊技盤
３１  パネル
３３〜４２  前面側装飾部
【図１】
0003592219.tif 000002
【図２】
0003592219.tif 000003